(57)【要約】      （修正有）【課題】複数物質の貯蔵や混合に用いる容器を提供する。【解決手段】複数物質の貯蔵や混合に用いる容器において、それに具える容器本体１０は、仕切り部１１により最低二つの内設空間に区分し、分割部２０は、最低二つの内設空間の出口を塞ぎ、最低二つの内設空間は完全に密閉し、分割部２０上方には斜面または錐面、及び第三空間２３を形成し、斜面または錐面は一つの内設空間と向き合っており、斜面または錐面上には切断糸に連結する引っ張り部２５を具え、容器本体１０はキャップ３０で被覆している為、引っ張り部２５を引っ張り切断糸２４が密閉を破り隙間が形成されると、一つの内設空間の物質が即刻第三空間２３に進入し、また引っ張り部が完全に開き隙間を形成した場合、最低二つの内設空間の物質が即刻混合し合う故、一つの容器は複数物質の単独使用または選択して混合使用するマルチ効果を達成する。【選択図】図１
0003143872.tif 000002
【実用新案登録請求の範囲】
【請求項１】
内部が仕切り部により最低二つの内設空間に区分される容器本体と、
容器本体の最低二つの内設空間の出口を塞いで最低二つの内設空間を完全に密閉し、上方には最低一つの斜面または一つの錐面、及び第三空間を形成し、最低一つの斜面上には切断糸、及び切断糸に連結する引っ張り部を具え、引っ張り部に力を加え切断糸によって密閉を破ると内設空間の間に繋がる隙間を形成する分割部と、
容器本体の開口部に被覆するキャップと、を具えることを特徴とする複数物質の貯蔵や混合に用いる容器。
【請求項２】
請求項１記載の複数物質の貯蔵や混合に用いる容器において、前記キャップ及び容器本体にはネジ山を設け、緊密に螺着することを特徴とする複数物質の貯蔵や混合に用いる容器。
【請求項３】
請求項１記載の複数物質の貯蔵や混合に用いる容器において、前記内設空間は最低三つであることを特徴とす複数物質の貯蔵や混合に用いる容器。
【請求項４】
請求項１記載の複数物質の貯蔵や混合に用いる容器において、前記分割部の引っ張り部及び切断糸の間には、更に最低一つの過大物質の導出を阻止する為の阻止部を設けることを特徴とす複数物質の貯蔵や混合に用いる容器。
【請求項５】
請求項１記載の複数物質の貯蔵や混合に用いる容器において、前記容器本体内部の二つの内設空間は、それぞれ容器本体内部の左側及び右側に位置することを特徴とする複数物質の貯蔵や混合に用いる容器。
【請求項６】
請求項１記載の複数物質の貯蔵や混合に用いる容器において、前記容器本体内部の二つの内設空間は、それぞれ容器本体内部の内円及び外円に位置することを特徴とする複数物質の貯蔵や混合に用いる容器。
【請求項７】
請求項１記載の複数物質の貯蔵や混合に用いる容器において、前記容器本体内部の三つの内設空間は、それぞれ容器本体内部の左側、中間、及び右側に位置することを特徴とする複数物質の貯蔵や混合に用いる容器。
【請求項８】
請求項１記載の複数物質の貯蔵や混合に用いる容器において、前記容器本体内部の三つの内設空間は、それぞれ容器本体内部の内円、中円、及び外円に位置することを特徴とする複数物質の貯蔵や混合に用いる容器。
【考案の詳細な説明】
【技術分野】
【０００１】
本考案は物質を入れる容器の技術領域に関し、特に、技術において複数物質の貯蔵や混合に用いる容器の構造を提供するものであり、それは最低３つの空間に区分し、引っ張り部を引っ張り出して穴を開けて隙間を生じさせることにより複数物質を混合する。
【背景技術】
【０００２】
容器は日常生活において頻繁に使用され、通常使用される物品である故、人々から重視されているが、使用形態において容器は多種物質を携帯する必要がある為、一つの容器には一つの内設空間しかなく、一種類の物質だけしか携帯できず、複数の物質の場合は複数の容器に分けて入れてから携帯しなければならない。もしこの種の容器を商品上に用いる場合は、面倒な点が更に明らかである。例えばコーンフレークと牛乳は最良の組み合わせであるが、販売時には二者を混在することはできず、もし混在したなら、混ぜて一定時間経つと牛乳は変質しコーンフレークは柔らかくなるが、混ぜ合わせない場合は、二つの容器にコーンフレーク及び牛乳を入れなければならず、販売及び使用上、大変不便である。
【０００３】
前述の公知の容器には、下記の欠点が残る。
（１）一つの容器には一つの内設空間しかなく、一つの容器には一種類の物質しか入れられず複数の物質の場合は貯存と携帯の不便性を招く。
（２）容器は商品販売において使用されることが多いが、商品は時には多種類の物質を共に販売することもあり、この場合は複数の容器に入れて販売しており、販売及び使用には明らかに不便である。
よって、前述の公知構造において存在する問題点に対し、いかに理想的で実用的な新構造を開発するかが、消費者の待望する処であり、関連業者にとっては研究開発を進めていかなければならない目標及び方向性である。
【考案の開示】
【考案が解決しようとする課題】
【０００４】
公知の容器の内設空間には制限があり、一つの容器に一つの内設空間しかなく、また一つの物質だけしか入れられず、複数の物質を携帯もしくは販売する場合に不便があり、例えば、ある食品と別の食品を混合使用したいが、販売時にはこれを混合できず、混合した後は保存期限の短縮を引き起こし、各個人の味覚が異なる為に事前に混合できないことを考慮しなければならず、よって、公知の販売には、複数の物質を複数の容器に分けて販売しなければならず非常に面倒で不便な点にある。
【０００５】
本考案は複数物質の貯蔵や混合に用いる容器を提供し、その技術特徴において、本考案が具える容器本体は、その内部空間を仕切り部により最低二つの内設空間に区分し、分割部は、容器本体の開口である最低二つの内設空間の出口を塞ぎ、最低二つの内設空間は完全に密閉して外漏れすることがなく、分割部上方には斜面または錐面を形成し、その間には第三空間を形成する。斜面または錐面は一つの内設空間と向き合っており、斜面または錐面上には、切断糸に連結する引っ張り部を具え、切断糸間には阻止部を設け、容器本体はキャップで被覆し、引っ張り部を引っ張り、切断糸によって斜面の密閉を破り隙間を形成すると、一つの内設空間の物質が即刻第三空間に進入する。また引っ張り部が完全に開き隙間を形成した場合、最低二つの内設空間の物質が即刻混合し合う故、容器は複数物質の単独使用または選択して混合使用するマルチ効果を達成する。
【課題を解決するための手段】
【０００６】
請求項１の考案は、内部が仕切り部により最低二つの内設空間に区分される容器本体と、
容器本体の最低二つの内設空間の出口を塞いで最低二つの内設空間を完全に密閉し、上方には最低一つの斜面または一つの錐面、及び第三空間を形成し、最低一つの斜面上には切断糸、及び切断糸に連結する引っ張り部を具え、引っ張り部に力を加え切断糸によって密閉を破ると内設空間の間に繋がる隙間を形成する分割部と、
容器本体の開口部に被覆するキャップと、を具えることを特徴とする複数物質の貯蔵や混合に用いる容器としている。
請求項２の考案は、請求項１記載の複数物質の貯蔵や混合に用いる容器において、前記キャップ及び容器本体にはネジ山を設け、緊密に螺着することを特徴とする複数物質の貯蔵や混合に用いる容器としている。
請求項３の考案は、請求項１記載の複数物質の貯蔵や混合に用いる容器において、前記内設空間は最低三つであることを特徴とする複数物質の貯蔵や混合に用いる容器としている。
請求項４の考案は、請求項１記載の複数物質の貯蔵や混合に用いる容器において、前記分割部の引っ張り部及び切断糸の間には、更に最低一つの過大物質の導出を阻止する為の阻止部を設けることを特徴とする複数物質の貯蔵や混合に用いる容器としている。
請求項５の考案は、請求項１記載の複数物質の貯蔵や混合に用いる容器において、前記容器本体内部の二つの内設空間は、それぞれ容器本体内部の左側及び右側に位置することを特徴とする複数物質の貯蔵や混合に用いる容器としている。
請求項６の考案は、請求項１記載の複数物質の貯蔵や混合に用いる容器において、前記容器本体内部の二つの内設空間は、それぞれ容器本体内部の内円及び外円に位置することを特徴とする複数物質の貯蔵や混合に用いる容器としている。
請求項７の考案は、請求項１記載の複数物質の貯蔵や混合に用いる容器において、前記容器本体内部の三つの内設空間は、それぞれ容器本体内部の左側、中間、及び右側に位置することを特徴とする複数物質の貯蔵や混合に用いる容器としている。
請求項８の考案は、請求項１記載の複数物質の貯蔵や混合に用いる容器において、前記容器本体内部の三つの内設空間は、それぞれ容器本体内部の内円、中円、及び外円に位置することを特徴とする複数物質の貯蔵や混合に用いる容器としている。
【考案の効果】
【０００７】
本考案の複数物質の貯蔵や混合に用いる容器は、一つの容器に複数物質を入れることができ、並びに複数物質の単独使用か複数物質の混合使用かを選択できる容器構造であり、実用面での進歩性が見られる。
【考案を実施するための最良の形態】
【０００８】
図１に、本考案の実施例１における立体分解図を示す。本考案の複数物質の貯蔵や混合に用いる容器は、容器本体１０、分割部２０、及びキャップ３０を具える。
容器本体１０は、その内部空間を仕切り部１１によって最低二つの内設空間に区分し、それは第一空間１２及び第二空間１３である。
分割部２０において、容器本体１０開口部１０１の第一空間１２出口１２１及び第二空間１３出口１３１を塞ぐ（図２参照）故、第一空間１２及び第二空間１３は完全密封されて外漏れしない。また分割部２０の上方において第一斜面２１及び第二斜面２２の二つは対称的に配置されて、その第一斜面２１及び第二斜面２２間には第三空間２３を形成し、第一斜面２１は第一空間１２に向き合い第二斜面２２は第二空間１３に向き合っており、各斜面には引っ張り切断糸２４と連結する引っ張り部２５を設け、引っ張り切断糸２４間には阻止部２６を設ける。
容器本体１０には、キャップ３０を被覆することも可能であり、容器本体１０とキャップ３０間にはネジ山を設けて緊密に螺着する。
【０００９】
前記の第三空間２３には物質を充填しなくてもよく、必要がある場合は、引っ張り部２５を引き離した後、物質を入れる。
これにより、力を加えて引っ張り部２５を引っ張ると、引っ張り切断糸２４によって第一斜面２１の密封が破られて隙間を形成、第一空間１２の物質が第三空間２３に進入する。また引っ張り部２５が完全に引き離されて隙間が形成されると、第一空間１２、第二空間１３の物質は即刻混合され、一つのボトルは、複数物質の単独使用または混合使用を選択できるマルチ効果を達成することができる。
【００１０】
図２に、本考案の実施例１の側面断面図を示す。容器本体１０内において仕切り部１１により第一空間１２及び第二空間１３を形成し、分割部２０が第一空間１２出口１２１及び第二空間１３出口１３１を被覆することにより、第一空間１２と第二空間１３は密封され、分割部２０上方には第三空間２３を形成し、また容器本体１０の開口部１０１はキャップ３０で被覆し、容器本体１０及びキャップ３０はネジ山を具えている為、容器本体１０及びキャップ３０を緊密に螺着することができる。
【００１１】
図３に、分割部２０部分の立体図を示す。分割部２０は隙間２０１の両側に沿った引っ張り切断糸２４をそれぞれ設け、引っ張り切断糸２４には引っ張り部２５を連結する（図１参照）。引っ張り部２５に力を加え引き離した時、引っ張り切断糸２４は切断されて分割部２０には貫通する隙間２０１が形成される。また引っ張り切断糸２４間には引っ張り部２５によって破かれない阻止部２６を設け、阻止部２６は隙間２０１間に制御部を形成する。物質を導出させたり導入させたりする場合、隙間２０１より大きい物質は阻止部２６によって止められる故、更に物質を均等に篩い分けて使用または混合できる。
【００１２】
図４に示す通り、分割部２０の引っ張り部２５が完全に引き離されると、分割部２０には隙間２０１が生じ、第一空間１２の物質は第三空間２３及び第二空間１３に進入し混合を行い、また第二空間１３の物質もまた第三空間２３及び第一空間１２に進入して混合され、容器本体１０の開口部１０１から導出し使用できる。
【００１３】
図５に示す通り、複数物質の貯蔵や混合に用いる容器には四空間の容器とすることも可能である。容器本体４０において仕切り部４１によって第一空間４２、第二空間４３、及び第三空間４４が区分され、分割部５０は容器本体４０の開口部４０１を区切って各空間を密閉し、分割部５０の上方には第四空間４５を形成し、キャップ６０で容器本体４０の開口部４０１を被覆し、キャップ６０及び容器本体４０の両方にネジ山を設け、キャップ６０及び容器本体４０を緊密に螺着する。
【００１４】
図６に示す通り、分割部５０は内設空間に対応し、やはり引っ張り部、切断糸も設けて、物質を混合したい場合は、引っ張り部を完全に引き離し、分割部５０上に隙間５１を形成している故、第一空間４２の物質は第四空間４５に進入し、第四空間４５からその他空間に進入して混合が行われる。また第二空間４３の物質はやはり第四空間４５に進入して第四空間４５からその他空間に進入し混合を行うことも可能であり、第三空間４４の物質もまた第四空間４５に進入した後に第四空間４５からその他空間に進入して混合を行う。これにより、本考案の容器構造は一つの容器に複数の内設空間を有しており、複数物質を単独使用または混合使用することができる。
【００１５】
図７及び図８に示す通り、容器本体７０の第一空間７１及び第二空間７２は、前述の両側区分または両側に中間を加えた区分の他、本考案の実施例３のような内円と外円の区分を採用することも可能である。即ち、第一空間７１は容器本体７０内部の外円空間に位置し、その間を仕切り部７３により内円空間に分割して第二空間７２を形成し、第一空間７１と第二空間７２の開口部は分割部８０で分割して二つの密閉空間を形成する。また分割部８０の上には第三空間７４を形成し、キャップ９０は容器本体７０の開口部を被覆し、キャップ９０及び容器本体７０はどちらにもネジ山を設けてある故、キャップ９０及び容器本体７０は緊密に螺着する。
【００１６】
本考案の効果は、次の通りである。
（１）複数物質の貯蔵や混合に用いる容器の構造は新規形態であり、単一容器であるが多種物質の貯蔵空間を具え、並びに必要時には相互の混合や単独使用ができ、使用は非常に便利で実用性を有する。
（２）複数物質の貯蔵や混合に用いる容器の構造は特殊改良した設計であり、それは主に構成要素上に仕切り部で複数の内設空間を区分し、仕切り部によって内設空間を密封するのと同時にもう一つの内設空間を増加し、各内設空間には一種類の物質を入れ、使用または混合したい場合は、引っ張り部を引き離すだけでそこに隙間を形成する。これにより、各空間は相互に繋がり相互に混合可能となり、複数物質の混合使用に非常に便利である。
【図面の簡単な説明】
【００１７】
【図１】本考案の実施例１における立体分解図である。
【図２】本考案の実施例１における側面断面図である。
【図３】本考案の分割部において引っ張り部を引いた後の立体図である。
【図４】本考案の実施例１における混合状態図である。
【図５】本考案の実施例２における側面断面図である。
【図６】本考案の実施例２における混合状態図である。
【図７】本考案の実施例３における側面断面図である。
【図８】本考案の実施例３における上面断面図である。
【符号の説明】
【００１８】
１０  容器本体
１０１  開口部
１１  仕切り部
１２  第一空間
１２１  出口
１３  第二空間
１３１  出口
２０  分割部
２０１  隙間
２１  第一斜面
２２  第二斜面
２３  第三空間
２４  引っ張り切断糸
２５  引っ張り部
２６  阻止部
３０  キャップ
４０  容器本体
４０１  開口部
４１  仕切り部
４２  第一空間
４３  第二空間
４４  第三空間
４５  第四空間
５０  分割部
５１  隙間
６０  キャップ
７０  容器本体
７１  第一空間
７２  第二空間
７３  仕切り部
７４  第三空間
８０  分割部
９０  キャップ
【図１】
0003143872.tif 000003
【図２】
0003143872.tif 000004
【図３】
0003143872.tif 000005
【図４】
0003143872.tif 000006
【図５】
0003143872.tif 000007
【図６】
0003143872.tif 000008
【図７】
0003143872.tif 000009
【図８】
0003143872.tif 000010